(57)【特許請求の範囲】
【請求項１】
レンズが露出するような状態で携帯電話に組み込まれているカメラを備えた携帯電話に取付けて用いられるものであり、
携帯電話に組み込まれているカメラで撮像することによって得られる画像に対して何らかの効果を与える光学要素と、
前記光学要素を支持する本体と、
前記光学要素が携帯電話に組み込まれたカメラのレンズの前方に位置するようにして、前記本体を前記レンズの近傍に着脱自在に固定する固定部材と、
を備えているとともに、
前記光学要素は円形とされており、
前記本体は前記光学要素の光軸方向の長さと略等しいか又はそれ以上の厚さを持ち、前記光学要素がその内部に配される小孔を有し、且つその全体の厚さが略同一とされた板状になっており、
前記固定部材は、板状になっている前記本体の一面側に取付けられている、
光学要素用マウントであって、
前記本体を、携帯電話に取付けられたストラップに着脱自在に取付ける取付け部材を備えており、
前記取付け部材は、略リング状とされるとともに、その一部に切欠が存在することでフック状に構成され、前記切欠から前記ストラップを押し入れることで、前記ストラップに対する前記本体の取付けをなすとともに、前記切欠から前記ストラップを引き抜くことで、前記ストラップに対する前記本体の取付けの解除をなすようになっているとともに、その全体の厚さが、前記本体と略同一とされた板状となっており、
前記本体と、前記取付け部材が、略板状になるように構成されているとともに、
前記本体と、前記取付け部材とは、前記本体と前記取付け部材とを、それらの厚さ方向でずらして接続する接続部にて接続したものとなっており、
前記固定部材により、前記本体の前記レンズの近傍への着脱自在な固定をなしたときに、前記取付け部材が、前記本体よりも前記携帯電話から遠くに位置するようになっている、
光学要素用マウント。
【請求項２】
前記固定部材は、前記小孔の径よりも大径の孔を有するドーナツ型の板磁石、又は金属板であり、
携帯電話から露出するレンズを囲むようにして携帯電話の表面に取付けられたドーナツ型の金属板、又は板磁石に対して吸着させることで、前記本体の前記レンズの近傍への着脱自在な固定をなすようになっている、
請求項１記載の光学要素用マウント。
【請求項３】
前記取付け部材は、前記切欠の対向する面の少なくとも一方に、前記取付け部材の厚さよりもその厚さが薄く、且つ前記切欠の対向する面の他方に届かない長さのストッパ部材が設けられている、
請求項１記載の光学要素用マウント。
【請求項４】
前記切欠は、略リング状となっている前記取付け部材の外周方向に向かって、その幅が広くなるようになっている、
請求項１〜３のいずれかに記載の光学要素用マウント。
【発明の詳細な説明】
【０００１】
【発明の属する技術分野】
本発明は、レンズが露出するような状態で携帯電話に組み込まれているカメラに取付けて用いられる光学要素用マウントに関する。
【０００２】
【発明の背景】
近年の携帯電話の普及には目を見張るものがある。その要因の一つとなっているのが、カメラ付き携帯電話の流行である。
【０００３】
カメラ付き携帯電話は、文字通りカメラを備えた携帯電話である。携帯電話の内部に、一般的にはＣＣＤ（ｃｈａｒｇｅ  ｃｏｕｐｌｅｄ  ｄｅｖｉｃｅ）により形成される撮像手段を、また携帯電話のケースの所定の位置からその撮像手段に像光を導くレンズを配することで、静止画、動画を含む写真撮影を行えるようにしている。
【０００４】
カメラ付き携帯電話は、常に持ち歩いている携帯電話での手軽な写真の撮影を可能とするという機能、及びカメラ付き携帯電話で撮像した写真を、携帯電話が備えている電子メール機能によって実現される電子メールに添付して他者にそのまま送信できるという一般のカメラにはない機能により、ユーザの遊び心を刺激することに成功し、写真を撮る機会の多い、特に若年層に広く普及した。
【０００５】
このような現状を見れば、カメラ付き携帯電話の更なる普及を図るためには、ユーザの遊び心を更に刺激する何かが必要であると考えられる。
例えば、カメラ付き携帯電話で撮像できる写真は、以前は静止画だけだったが、現在では動画やコマ送りのようなものも撮れるようになってきている。また、カメラ付き携帯電話に内蔵したメモリに所定の画像を記憶させておき、これとカメラ付き携帯電話で撮像した写真を合成する機能が、最近のカメラ付き携帯電話には与えられている。
【０００６】
本願発明は、上述のような観点からなされたものであり、カメラ付き携帯電話の更なる普及を図るためには、ユーザの遊び心を更に刺激するための技術を提案するものである。
【０００７】
【発明の開示】
本願発明者は、以下の発明を提案する。
本願発明者が提案するのは、レンズが露出するような状態で携帯電話に組み込まれているカメラを備えた携帯電話（なお、この「携帯電話」には、レンズが露出するような状態で携帯電話に組み込まれているカメラを備えたＰＨＳも含む。以下、これらを総称して、「カメラ付き携帯電話」と呼ぶ場合がある。）に取付けて用いられる光学要素用マウントである。この光学要素用マウントは、携帯電話に組み込まれているカメラで撮像することによって得られる画像に対して何らかの効果を与える光学要素と、前記光学要素を支持する本体と、前記光学要素が携帯電話に組み込まれたカメラのレンズの前方に位置するようにして、前記本体を前記レンズの近傍に着脱自在に固定する固定部材と、を備えて構成される。
携帯電話に取付けられたカメラは、大きさや、コストなどの面から、その性能に厳しい制限のあるものであり、それによって撮影された写真は通り一遍のものとなりがちである。このようなマウントは、カメラを備えた携帯電話に取付けて用いることで、その光学要素によって、カメラ付き携帯電話に内臓のカメラで撮った写真に新しい効果を与えることのできるものであり、ユーザの遊び心を刺激するものとなりうる。しかも、この光学要素は、既存のカメラ付き携帯電話に取付けて用いるものであり、カメラ付き携帯電話に内蔵のカメラに、機能的な変更を何ら要求しない点で価値が高い。
光学要素マウントが備える光学要素は、携帯電話に組み込まれているカメラで撮像することによって得られる画像に対して何らかの効果を与えるものであればどのようなものでも構わない。たとえば、拡大レンズ、近接撮影用レンズ、魚眼レンズ、偏光フィルタ、回折格子、セピア色などの色味を写真に与える有色フィルタなどを、その例として挙げることができる。
この光学要素マウントは、その固定部材により、カメラ付き携帯電話に対して着脱自在となっている。したがって、この光学要素マウントは、カメラ付き携帯電話で写真を撮る場合にのみ、カメラ付き携帯電話に取付けることができるため、カメラ付き携帯電話が本来的に備える撮影機能を邪魔することがない。また、光学要素の異なる複数の光学要素用マウントを準備しておけば、カメラ付き携帯電話に取付ける光学要素用マウントを、そのときの気分などに応じて付け替えることも可能である。これにより、ユーザの遊び心を更に刺激することが可能になる。
【０００８】
この光学要素用マウントは、携帯電話に取付けられたストラップに着脱自在に取付ける取付け部材を備えていてもよい。
本願発明に係る光学要素用マウントは、上述したように、カメラ付き携帯電話専用のものである。そして、カメラ付き携帯電話が普及した理由の一つは、上述したように、それが常に持ち歩かれるものであり、いつでもどこでも写真を撮れるようになったという点にある。とすれば、この光学要素用マウントも、カメラ付き携帯電話と同様に、いつでもどこでも使用できるようにすべきである。
本願発明の光学要素用ストラップを携帯電話に固定的に取付けられていることの多いストラップに対して着脱自在に取付ける取付け部材は、光学要素用ストラップを、カメラ付き携帯電話と一体とし、カメラ付き携帯電話と共に持ち歩けるようにできる点で価値が高い。また、この取付け部材によるストラップに対しての取付けは、上述したように着脱自在であるから、光学要素用マウントを使用する際には、光学要素用マウントをストラップから取り外せる。これにより、その使用時にストラップが邪魔になるということがなくなる。
【０００９】
上述した取付け部材は、どのように構成されていても構わない。写真撮影の手軽さというカメラ付き携帯電話の利点を殺さないということをより重視するのであれば、可動部を持たない構成、例えば取付け部材をストラップに係止させるだけの構成の方が望ましいかもしれない。
可動部のない取付け部材としては、例えば、略リング状とされるとともに、その一部に切欠が存在することでフック状に構成されており、前記切欠から前記ストラップを押し入れることで、前記ストラップに対する前記本体の取付けをなすとともに、前記切欠から前記ストラップを引き抜くことで、前記ストラップに対する前記本体の取付けの解除をなすようにするものを挙げることができる。尚、略リング状とされた取付け部材では、上述のリングの内径を、４〜８ｍｍ程度とすることができる。この程度の内径を持てば、一般的なストラップの周りを取付け部材が回転できるようになり、光学要素用マウントの姿勢の自由度が高まるため、特にストラップに多数取付けられた場合の光学要素用マウントが邪魔になったり、目障りになったりしにくくなる。
切欠の最も幅の狭い部分は、ストラップの抜け易さ防止のため、一般的なストラップの厚さよりも若干狭く、例えば１ｍｍ程度とすることができる。
フック状に形成の上述の如き取付け部材は、その全体の厚さが略同一とされた板状となっているとともに、前記切欠の対向する面の少なくとも一方に、前記取付け部材の厚さよりもその厚さが薄く、且つ前記切欠の対向する面の他方に届かない長さのストッパ部材を設けることができる。取付け部材をこのようなものにすれば、ストラップの抜け落ちを防止しやすくなる。ストッパがある場合には、その先端から対向する面までの距離が、切欠の最も幅の狭い部分となる。
フック状に形成の上述の如き取付け部材では、前記切欠を、略リング状となっている前記取付け部材の外周方向に向かって、その幅が広くなるようにすることができる。取付け部材の可能部がない場合には、切欠からストラップを押し入れることの容易さと、切欠からのストラップの引き抜き抜きさという相反する機能が要求されることになる。これを達成するのが、上述の構成である。
【００１０】
本願発明の光学要素用マウントが持つ本体は、どのように構成されていても構わない。
例えば、光学要素が円形とされている場合には、前記本体は前記光学要素の光軸方向の長さと略等しいか又はそれ以上の厚さを持ち、前記光学要素がその内部に配される、例えば光学要素に対応した円形の小孔を有し、且つその全体の厚さが略同一とされた板状に構成することができる。板状に形成するのであれば、本体の厚さは６ｍｍ、薄くできるのであれば４ｍｍ程度にするのが好ましい。このようにすることにより、光学要素用マウントを携帯電話に取付けたときに、それが美観を害さなくなる。また、多数の光学要素用マウントを、例えばストラップに取付けて持ち運ぶ際に、それが携帯の邪魔にならなくなる。
本体を板状にする場合、固定部材は、板状になっている前記本体の一面側に取付けることができる。
【００１１】
本願発明の固定部材は、カメラ付き携帯電話に対する光学要素用マウントの着脱自在な取付けを可能としていれば、どのようなものでも構わない。
固定部材は、例えば、前記小孔の径よりも大径の孔を有するドーナツ型の板磁石、又は金属板であり、携帯電話から露出するレンズを囲むようにして携帯電話の表面に取付けられたドーナツ型の金属板、又は板磁石に対して吸着させることで、前記本体の前記レンズの近傍への着脱自在な固定をなすようになっていてもよい。固定部材は、ベロクロなどの面ファスナでもよい。この場合には、携帯電話から露出するレンズを囲むようにして携帯電話の表面に取付けられたドーナツ型の面ファスナに対して固着させることで、前記本体の前記レンズの近傍への着脱自在な固定をなす。或いは、固定部材は、着脱自在な接着が可能な接着剤でもかまわない。このような接着剤がその一方の面に付された、前記小孔の径よりも大径の孔を有するドーナツ型のテープを、固定部材として本体の一方の面に貼り付けておけば、光学要素用マウントの前記本体の前記レンズの近傍への着脱自在な固定を実現できるようになる。
【００１２】
本体、取付け部材は、共に板状にすることもできる。この場合、取付け部材と、本体の厚さは、前記本体の厚さと略同一とすることができる。
このようにすれば、光学要素用マウント全体が薄くなるので、美観も、携帯性も優れたものとなる。これをより強調するには、前記本体と、前記取付け部材の全体が、略一体の板状になるように構成すればよい。
本体、取付け部材が共に板状である場合、特に、それらの厚さが略等しい場合、上述した本体と、前記取付け部材とは、前記本体と前記取付け部材とを、それらの厚さ方向でずらして接続する接続部にて接続したものとすることができる。この場合には、前記固定部材により、前記本体の前記レンズの近傍への着脱自在な固定をなしたときに、前記取付け部材が、前記本体よりも前記携帯電話から遠くに位置するようにする。このようにすれば、カメラ付き携帯電話に多少凹凸があった場合にも、取付け部材がカメラ付き携帯電話のその凸部に干渉しづらくなる。
【００１３】
【発明の実施の形態】
以下、図面に基づいて、本発明の好ましい実施形態につき説明を行う。
【００１４】
この実施形態による光学要素用マウントは、図１〜図３に示したようなものである。図１は、この実施形態による光学要素用マウントを、使用時における背面側（カメラ付き携帯電話に取付けられる側）から見た図であり、図２は、図１に示した光学要素用マウントを、使用時における正面側から見た図であり、図３は、図１に示した光学要素用マウントを図１の右側から見た図である。
【００１５】
この実施形態による光学要素用マウントは、レンズが露出するような状態で携帯電話に組み込まれているカメラを備えた携帯電話（より詳細には、カメラ付き携帯電話から露出するレンズを囲むようにして携帯電話の表面に取付けられたドーナツ型の金属板、又は板磁石を備えるカメラ付き携帯電話）に取付けて用いられるものであり、本体１０、取付け部材２０、及び傾斜部３０を備えている。なお、これには限られないが、この光学要素用マウントの本体１０、固定部材２０、及び傾斜部３０は、半透明の樹脂により、一体的に整形されている。
【００１６】
この実施形態における本体１０は、円形であり、後述する凸部１２を除いて全体的に厚さが等しくなるようにして、板状に形成されている。その中心付近には、円形とされた本体１０と同心となるようにして円形の小孔１１が設けられている。
この小孔１１の内部には、携帯電話に組み込まれているカメラで撮像することによって得られる画像に対して何らかの効果を与える光学要素１３が固定的に配されている。光学要素１３は、この実施形態では拡大レンズ、より具体的には凸レンズである。もっとも、これに代えて、近接撮影用レンズ、魚眼レンズ、偏光フィルタ、回折格子、セピア色などの色味を写真に与える有色フィルタなどを、光学要素１３に用いることができる。この実施形態における光学要素１３は、円形とされ、その外周が小孔１１と略一致するようになっている。本体１０の厚さは、光学要素１３の厚さよりも僅かに厚くなっている。この実施形態では、その厚さは４ｍｍ程度である。
本体１０の背面側における小孔１１の開口部沿いは、僅かな均等幅で円筒状に突出した凸部１２となっている。
本体１０の背面側の面には、凸部１２の周囲を取り囲むようにして、固定部材４０が設けられている。この固定部材４０は、この光学要素マウントの使用時に、上述した光学要素１３が携帯電話に組み込まれたカメラのレンズの前方に位置するようにして、本体１０をカメラ付き携帯電話のレンズの近傍に着脱自在に固定する機能を有している。この実施形態における固定部材４０は、小孔１１を取り囲む凸部１２の外径に対応する径の孔をその中心に備えた薄い板磁石であり、ドーナツ状に形成されている。この実施形態における板磁石は、これには限られないが、厚さが０．２ｍｍ程度となっている。
固定部材４０を用いてカメラ付き携帯電話に対する本体１０の固定を行う場合には、カメラ付き携帯電話から露出するレンズを囲むようにして携帯電話の表面に取付けられたドーナツ型の金属板、又は板磁石に対して、固定部材４０を吸着させる。なお、その際に、上述した凸部１２をカメラ付き携帯電話から露出するレンズが収められている孔に嵌め込む。カメラ付き携帯電話から露出するレンズは、カメラ付き携帯電話の表面に設けられた孔の内部に配されているのが通常であり、その孔の内部に上述した凸部１２を嵌め込むことで、光学要素１３を、カメラ付き携帯電話のレンズの前方に、簡単に位置させられるようになる。凸部１２の幅、は、この位置合わせの機能が発揮できれば十分なので、その径方向の厚さは、カメラ付き携帯電話のレンズの機能を邪魔しないように、なるべく薄くするのがよい。また、凸部１２の高さ（本体１０からの突出長さ）は、カメラ付き携帯電話のレンズとの干渉を避けられる程度に低くするのがよい。
なお、凸部１２の外径を、カメラ付き携帯電話の表面に設けられた上述の孔の内径と同径にしておけば、凸部１２をカメラ付き携帯電話の表面に設けられた孔に嵌め込んだ状態で、板磁石である固定部材４０をカメラ付き携帯電話の金属板に吸着させてやれば、光学要素１３とカメラ付き携帯電話のレンズの光軸合わせを簡単に実現できる。
【００１７】
取付け部材２０は、本体１０を、携帯電話に取付けられたストラップに着脱自在に取付けるものである。
取付け部材２０は、その全体の厚さが略同一とされた板状となっている。取付け部材２０の厚さは、本体１０の凸部１２以外の部分の厚さと略等しくなっている。取付け部材２０は、傾斜部３０により、本体１０に接続され、全体として略板状になるように形成されている。ただし、本体１０と、取付け部材２０は、固定部材４０により、本体１０をカメラ付き携帯電話のレンズの近傍へ固定したときに、取付け部材２０が、本体１０よりも携帯電話から遠くに位置するように、平行にずらされている。
取付け部材２０は、略リング状とされるとともに、その一部に切欠２２が存在することでフック状に構成されている。切欠２２は、略リング状となっている取付け部材２０の外周方向に向かって、その幅（対向する面の間隔）が広くなるようになっており、且つその外周方向の開口が、本体１０側を向くようになっている。切欠２２の対向する面の少なくとも一方（この実施形態では、一方）には、取付け部材２０の厚さよりもその厚さが薄く、且つ切欠の対向する面の他方に届かない長さのストッパ部材２３が設けられている。このストッパ部材２３は、取付け部材２０と一体となっているが、その厚さが取付け部材２０よりも小さいため、取付け部材２０よりも大きな柔軟性を持つようになっている。
取付け部材２０によるストラップへの取付けは、ストラップをリング状に形成された取付け部材２０の孔２１へ切欠２２から押し入れることで、取付け部材２０によるストラップへの取付けの解除は、ストラップをリング状に形成された取付け部材２０の孔２１から切欠２２を通して引き抜くことで行う。
【００１８】
【発明の効果】
以上の説明から明らかなように、本発明によれば、カメラ付き携帯電話のカメラで写真を撮るユーザに、新たな楽しみを提供できるようになる。
【図面の簡単な説明】
【図１】本発明の第１実施形態による光学要素用マウントの背面図。
【図２】図１で示した光学要素用マウントの正面図。
【図３】図１で示した光学要素用マウントの側面図。
【符号の説明】
１０    本体
１１    小孔
１３    光学要素
２０    取付け部
２２    切欠
２３    ストッパ
３０    傾斜部
【図１】
0003655282.tif 000002
【図２】
0003655282.tif 000003
【図３】
0003655282.tif 000004